(57)【要約】【課題】身体的特徴量を記録したチケットの転売を容易にする。【解決手段】メディア端末１は、チケットに記録された身体的特徴量とチケット情報とを読み取り、読み取った身体的特徴量と、メディア端末１が抽出した操作者の身体的特徴量とを照合する。一致した場合はチケット情報をチケット転売サーバ２に送信する。チケット転売サーバ２は、受信した情報を転売目的で通信ネットワーク１０を介して公開する。購入者希望者はメディア端末１を操作し、公開された情報を参照して、チケットを購入する。メディア端末１はユーザの身体的特徴量を抽出し、チケットに身体的特徴量を記録して発券する。【選択図】図１
2008197717.tif 000002
【特許請求の範囲】
【請求項１】
チケット転売装置と、ネットワークを介して前記チケット転売装置と通信可能に接続されるメディア端末とから構成される所有者の身体的特徴量を記録したチケットの転売システムであって、
前記メディア端末は、
チケットに記録された身体的特徴量情報および該チケットに記載されているチケット情報とを読み取るチケット情報読取手段と、
前記メディア端末を操作するユーザの身体的特徴量を抽出する特徴量抽出手段と、
前記チケット情報読取手段によって読み取られた特徴量と前記特徴量抽出手段が抽出した特徴量とが同一人物のものであるかを判定する特徴量判定手段と、
前記メディア端末の前記特徴量判定手段が、チケットに記録された特徴量と前記ユーザの特徴量とが同一人物のものであると判定した場合、前記チケット情報読取手段により読み取られたチケット情報を前記チケット転売装置へ送信する送信手段と、
を備え、
前記チケット転売装置は、
前記メディア端末の前記送信手段から送信されたチケット情報を記憶する転売チケット情報記憶手段と、
前記転売チケット情報記憶手段に記憶されたチケット情報を、ネットワークを介して転売を目的として公開するチケット情報公開手段と、
を備えることを特徴とする、身体的特徴量を記録したチケットの転売システム。
【請求項２】
チケット転売装置と、ネットワークを介して前記チケット転売装置と通信可能に接続されるメディア端末と、から構成される身体的特徴量を記録したチケットの転売システムであって、
前記チケット転売装置は、
転売に出されたチケットを特定する情報を含むチケット情報を記憶する転売チケット情報記憶手段と、
前記転売チケット情報記憶手段に登録されたチケット情報を、ネットワークを介して公開するチケット情報公開手段と、
を備え、  
前記メディア端末は、
前記メディア端末を操作するユーザの身体的特徴量を抽出する特徴量抽出手段と、
前記チケット情報公開手段によって公開された転売チケット情報を取得し、選択可能に表示する表示手段と、
前記表示手段の表示する転売チケット情報の中から少なくとも１つを選択する選択手段と、
前記選択手段によって選択されたチケット情報と、前記特徴量抽出手段によって抽出された身体的特徴量とをチケットに記録し発券する、発券手段と、
を備える、身体的特徴量を記憶したチケットの転売システム。
【請求項３】
前記チケット転売装置は、
転売に出されたチケットが有効であるイベントの残席数を取得し、その残席数に応じて該チケットの価格を変動して決定する逓増逓減価格決定手段をさらに備える、
ことを特徴とする、請求項１または２に記載の身体的特徴量を記録したチケットの転売システム。
【請求項４】
前記チケットに記録される身体的特徴量情報は、顔、指紋、虹彩、静脈、に関する特徴のうち少なくともいずれか１つである、
ことを特徴とする請求項１または２に記載の身体的特徴量を記録したチケットの転売システム。
【請求項５】
前記メディア端末は、前記チケット情報公開手段からチケットが有効であるイベントについての関連情報を取得するイベント情報取得手段をさらに備え、
前記発券手段は前記イベント情報取得手段の取得したイベント関連情報をチケットに印刷する、
ことを特徴とする、請求項２に記載の身体的特徴量を記憶したチケットの転売システム。
【請求項６】
前記チケット転売装置は、
ユーザを識別するユーザ識別情報と、該ユーザの身体的特徴量を含むユーザ情報とを対応付けて記憶するユーザ情報記憶手段と、
前記メディア端末からユーザ識別情報を受信し、該ユーザ識別情報により特定されるユーザに対応する身体的特徴量を前記ユーザ情報記憶手段から取得し、前記メディア端末へと送信する身体特徴送信手段と、
をさらに備え、
前記メディア端末は、
前記身体特徴送信手段によって送信された身体的特徴量と、前記選択手段によって選択されたチケット情報とをチケットに記録し発券する、第２の発券手段をさらに備える、
ことを特徴とする、請求項２に記載の身体的特徴量を記録したチケットの転売システム。
【請求項７】
転売チケットを特定する情報を含むチケット情報をネットワークを介して公開するチケット転売装置に、ネットワークを介して通信可能に接続されるメディア端末であって、
前記メディア端末は、
チケットに記録された身体的特徴量情報および該チケットに記載されているチケット情報とを読み取るチケット情報読取手段と、
前記メディア端末を操作するユーザの身体的特徴量を抽出する特徴量抽出手段と、
前記チケット情報読取手段によって読み取られた特徴量と前記特徴量抽出手段が抽出した特徴量とが同一人物のものであるかを判定する特徴量判定手段と、
前記メディア端末の前記特徴量判定手段が、チケットに記録された特徴量と前記ユーザの特徴量とが同一人物のものであると判定した場合、前記チケット情報読取手段により読み取られたチケット情報を前記チケット転売装置へ送信する送信手段と、
を備える、ことを特徴とする、身体的特徴量を記憶したチケットを取り扱うメディア端末。
【請求項８】
転売チケットを特定する情報を含むチケット情報をネットワークを介して公開するチケット転売装置に、ネットワークを介して通信可能に接続されるメディア端末であって、
前記メディア端末は、
前記メディア端末を操作するユーザの身体的特徴量を抽出する特徴量抽出手段と、
前記転売装置によって公開された転売チケット情報を取得し、選択可能に表示する表示手段と、
前記表示手段の表示する転売チケット情報の中から少なくとも１つを選択する選択手段と、
前記選択手段によって選択されたチケット情報と、前記特徴量抽出手段によって抽出された身体的特徴量とをチケットに記録し発券する、発券手段と、
を備える、身体的特徴量を記憶したチケットを発券するメディア端末。
【請求項９】
メディア端末とネットワークを介して通信可能に接続されるチケット転売装置であって、
前記チケット転売装置は、
転売に出されたチケットを特定する情報を含むチケット情報を前記メディア端末から受信して記憶する転売チケット情報記憶手段と、
前記転売チケット情報記憶手段に記憶されたチケット情報を、ネットワークを介して公開するチケット情報公開手段と、
前記メディア端末からの要求に応じて、チケットの決済処理を行う決済処理手段と、  
を備えることを特徴とする、チケット転売装置。
【請求項１０】
コンピュータに、
チケットに記録された身体的特徴量情報および該チケットに記載されているチケット情報とを読み取らせるチケット情報読取ステップと、
ユーザの身体的特徴量を抽出させる特徴量抽出ステップと、
前記チケット情報読取ステップにおいて読み取られた特徴量と前記特徴量抽出ステップにおいて抽出された特徴量とが同一人物のものであるかを判定させる特徴量判定ステップと、
前記特徴量判定ステップにおいて、チケットに記録された特徴量と前記ユーザの特徴量とが同一人物のものであると判定された場合、前記チケット情報読取ステップにおいて読み取られたチケット情報をネットワークを介して接続されたチケット転売装置へ送信させる送信ステップと、
を含む処理を実行させるように制御するプログラム。
【請求項１１】
コンピュータに、
ユーザの身体的特徴量を抽出させる特徴量抽出ステップと、
ネットワークを介して公開されている転売チケットを特定する情報を含むチケット情報を取得させ、選択可能に表示させる表示ステップと、
前記表示ステップにおいて表示された転売チケット情報の中から少なくとも１つを選択させる選択ステップと、
前記選択ステップにおいて選択されたチケット情報と、前記特徴量抽出ステップにおいて抽出された身体的特徴量とをチケットに記録させ発券させる、発券ステップと、
を含む処理を実行させるように制御するプログラム。
【請求項１２】
コンピュータに、
転売に出されたチケットを特定する情報を含むチケット情報をネットワークを介して接続されたメディア端末から受信させ記憶させる転売チケット情報記憶ステップと、
前記転売チケット情報記憶ステップにおいて記憶されたチケット情報を、ネットワークを介して公開させるチケット情報公開ステップと、
前記メディア端末からの要求に応じて、チケットの決済処理を行わせる決済処理ステップと、
を含む処理を実行させるように制御するプログラム。
【発明の詳細な説明】
【技術分野】
【０００１】
本発明は、所有者の身体的特徴量を記録したチケットを転売するシステム等に関する。
【背景技術】
【０００２】
チケットにその所有者の顔写真を印刷する技術が、例えば、特許文献１〜４に開示されている。チケットに顔写真などの所有者の身体的特徴量を入れることにより、所有者以外の人物によるチケットの不正使用や不当転売を防ぐことが可能となる。
しかしながら、身体的特徴量を記録するチケットの場合、所有者が合法的に転売したくても、チケット売り場まで出向いて本人確認を行わなければ転売ができないという問題が生じる。
【特許文献１】特開２００２−２８８６９２号公報
【特許文献２】特開２００６−２０１９９７号公報
【特許文献３】実用新案登録第３０８３３１６号
【特許文献４】実用新案登録第３０８１４６６号
【発明の開示】
【発明が解決しようとする課題】
【０００３】
本発明は上記実状を鑑みてなされたものであり、チケットに所有者の身体的特徴量が記録されたチケットの転売を容易に行うことを可能にするチケット転売システム等を提供することを目的とする。
【課題を解決するための手段】
【０００４】
上記目的を達成するため、本発明の第１の観点に係るチケット転売システムは、チケット転売装置と、ネットワークを介して前記チケット転売装置と通信可能に接続されるメディア端末とから構成される所有者の身体的特徴量を記録したチケットの転売システムであって、
前記メディア端末は、
チケットに記録された身体的特徴量情報および該チケットに記載されているチケット情報とを読み取るチケット情報読取手段と、
前記メディア端末を操作するユーザの身体的特徴量を抽出する特徴量抽出手段と、
前記チケット情報読取手段によって読み取られた特徴量と前記特徴量抽出手段が抽出した特徴量とが同一人物のものであるかを判定する特徴量判定手段と、
前記メディア端末の前記特徴量判定手段が、チケットに記録された特徴量と前記ユーザの特徴量とが同一人物のものであると判定した場合、前記チケット情報読取手段により読み取られたチケット情報を前記チケット転売装置へ送信する送信手段と、
を備え、
前記チケット転売装置は、
前記メディア端末の前記送信手段から送信されたチケット情報を記憶する転売チケット情報記憶手段と、
前記転売チケット情報記憶手段に記憶されたチケット情報を、ネットワークを介して転売を目的として公開するチケット情報公開手段と、
を備える。
【０００５】
さらに、本発明の第２の観点に係るチケット転売システムは、
チケット転売装置と、ネットワークを介して前記チケット転売装置と通信可能に接続されるメディア端末と、から構成される身体的特徴量を記録したチケットの転売システムであって、
前記チケット転売装置は、
転売に出されたチケットを特定する情報を含むチケット情報を記憶する転売チケット情報記憶手段と、
前記転売チケット情報記憶手段に登録されたチケット情報を、ネットワークを介して公開するチケット情報公開手段と、
を備え、  
前記メディア端末は、
前記メディア端末を操作するユーザの身体的特徴量を抽出する特徴量抽出手段と、
前記チケット情報公開手段によって公開された転売チケット情報を取得し、選択可能に表示する表示手段と、
前記表示手段の表示する転売チケット情報の中から少なくとも１つを選択する選択手段と、
前記選択手段によって選択されたチケット情報と、前記特徴量抽出手段によって抽出された身体的特徴量とをチケットに記録し発券する、発券手段と、
を備える。
【０００６】
また、前記チケット転売装置は、
転売に出されたチケットが有効であるイベントの残席数を取得し、その残席数に応じて該チケットの価格を変動して決定する逓増逓減価格決定手段をさらに備える、
ようにしてもよい。
【０００７】
また、前記チケット転売システムにおいて、
前記チケットに記録される身体的特徴量情報は、顔、指紋、虹彩、静脈、に関する特徴のうち少なくともいずれか１つである、
ようにしてもよい。
【０００８】
また、前記メディア端末は、前記チケット情報公開手段からチケットが有効であるイベントの関連情報を取得するイベント情報取得手段をさらに備え、
前記発券手段は前記イベント情報取得手段の取得したイベント関連情報をチケットに印刷する、
ようにしてもよい。
【０００９】
また、前記転売チケット装置は、  
ユーザを識別するユーザ識別情報と、該ユーザの身体的特徴量を含むユーザ情報とを対応付けて記憶するユーザ情報記憶手段と、
前記メディア端末からユーザ識別情報を受信し、該ユーザ識別情報により特定されるユーザに対応する身体的特徴量を前記ユーザ情報記憶手段から取得し、前記メディア端末へと送信する身体特徴送信手段と、
をさらに備え、
前記メディア端末は、
前記身体特徴送信手段によって送信された身体的特徴量と、前記選択手段によって選択されたチケット情報とをチケットに記録し発券する、第２の発券手段をさらに備える、
ようにしてもよい。
【００１０】
さらに、本発明の第３の観点に係るメディア端末は、
転売チケットを特定する情報を含むチケット情報をネットワークを介して公開するチケット転売装置に、ネットワークを介して通信可能に接続されるメディア端末であって、
前記メディア端末は、
チケットに記録された身体的特徴量情報および該チケットに記載されているチケット情報とを読み取るチケット情報読取手段と、
前記メディア端末を操作するユーザの身体的特徴量を抽出する特徴量抽出手段と、
前記チケット情報読取手段によって読み取られた特徴量と前記特徴量抽出手段が抽出した特徴量とが同一人物のものであるかを判定する特徴量判定手段と、
前記メディア端末の前記特徴量判定手段が、チケットに記録された特徴量と前記ユーザの特徴量とが同一人物のものであると判定した場合、前記チケット情報読取手段により読み取られたチケット情報を前記チケット転売装置へ送信する送信手段と、
を備える。
【００１１】
さらに、本発明の第４の観点に係るメディア端末は、
転売チケットを特定する情報を含むチケット情報をネットワークを介して公開するチケット転売装置に、ネットワークを介して通信可能に接続されるメディア端末であって、
前記メディア端末は、
前記メディア端末を操作するユーザの身体的特徴量を抽出する特徴量抽出手段と、
前記転売装置によって公開された転売チケット情報を取得し、選択可能に表示する表示手段と、
前記表示手段の表示する転売チケット情報の中から少なくとも１つを選択する選択手段と、
前記選択手段によって選択されたチケット情報と、前記特徴量抽出手段によって抽出された身体的特徴量とをチケットに記録し発券する、発券手段と、
を備える。
【００１２】
さらに、本発明の第５の観点に係るチケット転売装置は、
メディア端末とネットワークを介して通信可能に接続されるチケット転売装置であって、
前記チケット転売装置は、
転売に出されたチケットを特定する情報を含むチケット情報を前記メディア端末から受信して記憶する転売チケット情報記憶手段と、
前記転売チケット情報記憶手段に記憶されたチケット情報を、ネットワークを介して公開するチケット情報公開手段と、
前記メディア端末からの要求に応じて、チケットの決済処理を行う決済処理手段と、  
を備える。
【００１３】
さらに、本発明の第６の観点に係るプログラムは、
コンピュータに、
チケットに記録された身体的特徴量情報および該チケットに記載されているチケット情報とを読み取らせるチケット情報読取ステップと、
ユーザの身体的特徴量を抽出させる特徴量抽出ステップと、
前記チケット情報読取ステップにおいて読み取られた特徴量と前記特徴量抽出ステップにおいて抽出された特徴量とが同一人物のものであるかを判定させる特徴量判定ステップと、
前記特徴量判定ステップにおいて、チケットに記録された特徴量と前記ユーザの特徴量とが同一人物のものであると判定された場合、前記チケット情報読取ステップにおいて読み取られたチケット情報をネットワークを介して接続されたチケット転売装置へ送信させる送信ステップと、
を含む処理を実行させるように制御する。
【００１４】
さらに、本発明の第７の観点に係るプログラムは、
コンピュータに、
ユーザの身体的特徴量を抽出させる特徴量抽出ステップと、
ネットワークを介して公開されている転売チケットを特定する情報を含むチケット情報を取得させ、チケット情報を選択可能に表示させる表示ステップと、
前記表示ステップにおいて表示された転売チケット情報の中から少なくとも１つを選択させる選択ステップと、
前記選択ステップにおいて選択されたチケット情報と、前記特徴量抽出ステップにおいて抽出された身体的特徴量とをチケットに記録させ発券させる、発券ステップと、
を含む処理を実行させるように制御する。
【００１５】
さらに、本発明の第８の観点に係るプログラムは、
コンピュータに、
転売に出されたチケットを特定する情報を含むチケット情報をネットワークを介して接続されたメディア端末から受信させ記憶させる転売チケット情報記憶ステップと、
前記転売チケット情報記憶ステップにおいて記憶されたチケット情報を、ネットワークを介して公開させるチケット情報公開ステップと、
前記メディア端末からの要求に応じて、チケットの決済処理を行わせる決済処理ステップと、
を含む処理を実行させるように制御する。
【発明の効果】
【００１６】
本発明よれば、所有者の身体的特徴を記録したチケットを、チケット売り場に出向くことなく容易に転売することが可能となる。
【発明を実施するための最良の形態】
【００１７】
以下、本発明の実施の形態を図面を参照して説明する。なお、本実施の形態においては、身体的特徴量が記録されたチケットとして、顔写真が印刷されている場合を例に説明する。
【００１８】
図１は本発明の実施の形態に係るチケット転売システムの構成例を示すブロック図である。図１に示すように、チケット転売システムは、通信ネットワーク１０を介して接続された、複数のメディア端末１と、チケット転売サーバ２とを備える構成を有する。次に各構成要素について説明する。
【００１９】
メディア端末１はコンビニエンスストア等に設置され、チケットの転売を受け付けたり、チケットを発券する機能を有する。メディア端末１は、図２に示すように、制御部１１０、記憶部１１１、表示部１１２、入力部１１３、通信部１１４、印刷部１１５、スキャナ部１１６、撮影部１１７、カードリーダ部１１８、及び、バス１３０を備える。
【００２０】
制御部１１０は、ＣＰＵ（Central Processing Unit）、ＲＯＭ（Read Only Memory）、ＲＡＭ（Random Access Memory）等から構成されており、メディア端末１の全体の制御を行う。具体的には、ＣＰＵがＲＯＭや後述の記憶部１１１に記憶されているプログラムを実行することによって制御・演算処理を行う。この制御・演算処理の際、制御部１１０はＲＡＭに各種データを一時的に記憶し、作業領域として使用する。
【００２１】
記憶部１１１はハードディスクなどから構成され、制御部１１０が、例えば、後述の転売条件の設定や、購入処理を行うために必要なデータやプログラム等を記憶する。
【００２２】
表示部１１２は、ドットマトリクスタイプの液晶表示装置等から構成され、メディア端末１の出力装置の１つを構成する。表示部１１２は、任意の文字、記号、数字、図形、操作メニュー等を表示する。
【００２３】
入力部１１３は、様々な情報を入力するために使用されるものであり、表示部１１２と積層された、接触式のタッチパネル式入力装置から構成される。入力部１１３はこの他、キーボードやマウスなどにより構成されてもよい。
【００２４】
通信部１１４は、ＮＩＣ（Network Interface Card）等から構成され、通信ネットワーク１０に接続するためのインタフェースを備え、通信ネットワーク１０との間で、ＴＣＰ／ＩＰプロトコル等に基づく通信を行う。通信部１１４は、例えばモデム装置や赤外線通信装置等を含んでいてもよい。
【００２５】
印刷部１１５は、チケットや、興行関連の情報を印刷する印刷装置を含む。
【００２６】
スキャナ部１１６は、チケットを含む、紙の文書・絵・写真などを読み込み、デジタルデータに変換するスキャナから構成される。さらに、スキャナ部は、スキャナにより読み込んだ文字を特定するＯＣＲ(Optical Character Reader)を備える。
【００２７】
撮影部１１７はレンズ、ＣＣＤ（撮像素子）、駆動回路などから構成されており、レンズによって結像された被写体の光学像を光電変換して、映像信号を生成する。
【００２８】
カードリーダ部１１８は、銀行のキャッシュカードやクレジットカードに記憶されている情報を読み取る接触式または非接触式の読み取り装置である。これらカードは、磁気カードの他、ＩＣカードでもよい。
【００２９】
バス１３０は、制御部１１０、記憶部１１１、表示部１１２、入力部１１３、通信部１１４、印刷部１１５、スキャナ部１１６、撮影部１１７、およびカードリーダ部１１８との間で命令やデータを転送するための伝送経路である。
【００３０】
次に、図１に示すチケット転売サーバ２について説明する。チケット転売サーバ２は、転売チケットや、興行に関する情報を記憶し、これら情報をメディア端末１に提供するほか、転売の決済処理などを行うサーバである。図３にその詳細構成の例を示すように、チケット転売サーバ２は、制御部２１０、記憶部２１１、表示部２１２、入力部２１３、通信部２１４、及び、バス２３０を備える。
【００３１】
制御部２１０は、ＣＰＵ（Central Processing Unit）、ＲＯＭ（Read Only Memory）、ＲＡＭ（Random Access Memory）等から構成されており、チケット転売サーバ２の全体の制御を行う。具体的には、ＣＰＵがＲＯＭや後述の記憶部２１１に記憶されているプログラムを実行することによって制御・演算処理を行う。この制御・演算処理を行う際、制御部２１０はＲＡＭに各種データを一時的に記憶し、作業領域として使用する。
【００３２】
記憶部２１１はハードディスク装置などから構成され、制御部２１０が所定の動作を行うために必要なデータやプログラム等を記憶する。記憶部２１１は、転売チケットＤＢ２１１１、興行情報ＤＢ２１１２、残席ＤＢ２１１３、を含む各種ＤＢ（Database)を備える。これらＤＢについての詳細は後述する。
【００３３】
チケット転売サーバ２は、メンテナンス等のために、表示部２１２や入力部２１３を備える。表示部２１２は、ＬＣＤ（Liquid Crystal Display）等の出力装置を含む。入力部２１３は、キーボードやマウスなどの入力装置を含み、任意のデータ・情報を入力する。
【００３４】
通信部２１４は、ＮＩＣ（Network Interface Card）等から構成され、通信ネットワーク１０に接続するためのインタフェースを備え、通信ネットワーク１０との間で、ＴＣＰ／ＩＰプロトコル等に基づく通信を行う。通信部２１４は、例えばモデム装置や赤外線通信装置等を含んでいてもよい。
【００３５】
バス２３０は、制御部２１０、記憶部２１１、表示部２１２、入力部２１３、通信部２１４、との間で命令やデータを転送するための伝送経路である。
【００３６】
次にチケット転売サーバの記憶部２１１に格納される各ＤＢについて説明する。
【００３７】
図４（Ａ）は、転売チケットＤＢ２１１１の各レコードに含まれるフィールドの構成例を示す図である。転売チケットＤＢ２１１１の各レコードには、転売に出されたチケットの情報が記憶される。具体的に各レコードには、「チケット番号」をキーとして、「興行ＩＤ」、「興行日時」、「座席番号」、「売価」、「逓増逓減価格方式選択」、「売却期限」、「代金の受取方法」、「期限切れ時の対応指示」、などが登録される。次いで各フィールドについて説明する。
【００３８】
「チケット番号」は、チケットを特定する識別情報である。「興行ＩＤ」は、当該チケットが有効な興行を特定するＩＤである。なお、興行ＩＤの詳細については、興行情報ＤＢ２１１２の説明部分にて詳述する。「興行日時」、および「座席番号」のそれぞれは、当該チケットが有効な興行日時、および座席番号である。「売価」は、当該チケットの売却価格である。売価は、転売希望者が設定することも可能であるが、転売希望者が価格設定の方式として、逓増逓減方式を選択することで、自動的に設定することも可能である。逓増逓減方式については、次の「逓増逓減価格方式選択」フィールドの説明部分で詳述する。
【００３９】
「逓増逓減価格方式選択」は、チケットの価格設定の方式として、逓増逓減方式が選択されているか否かを示すフィールドである。転売希望者がチケットの価格設定の方式として逓増逓減方式を選択すると、「逓増逓減価格方式選択」フィールドには「真」が記憶される。逓増逓減方式が選択された場合、興行の残席数と開催日までの残り日数などに応じて、チケットの価格が変動する。例えば、開催日までの残り日数が少なくなるにつれ、残席数が少ない場合価格が上がり、残席数が多い場合価格は下がる。この他、価格変動の要因としてアーティストの人気ランキング等などを反映させてもよい。転売者が逓増逓減価格方式を選択することにより、このように人気の高いチケットについては高く売却できる可能性がある他、不人気のチケットについては値段を自動的に下げることで、売れ残りを防ぐことが可能となる。一方、逓増逓減方式が選択されないと、「逓増逓減価格方式選択」フィールドには「偽」が記憶され、チケットの価格は、ユーザが設定した「売価」となる。
【００４０】
続いて、「売却期限」は転売者が当該チケットの売却を希望する期限である。「代金の受け取り方法」は、チケットの転売が成立した場合に転売者が当該チケット代金を受け取る方法である。代金を受け取る方法としては、例えば、銀行振り込み、郵便局振込み、などがある。「期限切れ時の対応指示」は「売却期限」にて指定される日時を過ぎてもチケットが売却されなかった場合に、転売者が希望するチケットの処理方法である。処理方法としては、例えば、再発券、権利放棄、などがある。「口座番号」は、代金の受け取り方法において銀行／郵便局口座振り込みを選択した場合の口座番号である。「有効／無効」は、当該チケットの有効性を示すフィールドである。本実施の形態では、例えば転売が成立し、転売チケットとして有効でなくなったものに対して、「有効／無効」のフィールドに「無効」と登録する。なお、初期状態ではこのフィールドは「有効」となる。「発券用暗証番号」は、チケットをメディア端末１から発券する際に入力する暗証番号である。
【００４１】
図４（Ｂ）は興行情報ＤＢ２１１２の各レコードに含まれるフィールドの構成例を示す図である。興行情報ＤＢ２１１２は、各レコードに、各興行に関連する情報を保持する。具体的には、各レコードに、興行を特定する「興行ＩＤ」をキーとして、当該興行の種別を示す「興行分類」、当該興行の名称である「興行名称」、当該興行を行う人物、あるいはグループの名称である「アーティスト名」、当該興行の開催期間である「開催期間」、当該興行を実施する会場の名称である「開催会場名」、当該興行を実施する会場の住所である「開催会場住所」、当該興行の会場内の座席構成である「会場座席表」、当該興行を実施する会場近辺の店舗情報、および地図である「近隣の店舗情報」と「周辺地図」、等の興行関連情報が記憶される。なお、「会場座席表」および「周辺地図」は、JPEGやGIFなどの所定の画像フォーマットで記憶される。
【００４２】
図４（Ｃ）は、ある日程に開催されるある興行の残席数をそれぞれのレコードに記憶する、残席ＤＢ２１１３の構成例を示す図である。図示するように、残席ＤＢ２１１３は各レコードに、興行を特定する「興行ＩＤ」および、当該興行の開催日時を特定する「興行日時」の２つをキーとして、残席数を記憶する。
【００４３】
（転売条件設定処理）
次に、メディア端末１から、チケットの転売（売却）条件を設定するフローを図７を参照して説明する。
【００４４】
ユーザ（転売希望者）はコンビニエンスストアなどに設置されるメディア端末１に出向き、入力部１１３を操作して、転売条件設定処理を開始する。
転売条件設定処理において、メディア端末１の制御部１１０は、まずスキャナ部１１６へと繋がる挿入口にチケットを挿入するようユーザに促すメッセージを表示部１１２に表示する（ステップＳ１００）。チケットが挿入されたことを検知すると、スキャナ部１１６はチケットに記載されている、チケット情報（チケット番号、興行ＩＤ、興行日時、座席番号など）や顔写真の読み取りを行いＲＡＭに一時記憶する（ステップＳ１０１）。なお、本実施の形態において、チケット情報は文字で記載されており、ＯＣＲによって読み取られるが、チケット情報をバーコードにて記載し、これを読み取るバーコードリーダをスキャナ部１１６に備えさせてもよい。あるいは、チケットにＲＦ−ＩＤ（Radio Frequency ID）などの記憶装置を埋設し、チケット情報を記憶装置に記憶させ、そしてメディア端末１には、これを読み取る読取装置を備えさせてもよい。
【００４５】
次に、制御部１１０はチケットに印刷されている顔写真が、メディア端末１を操作しているユーザと一致するか、すなわち、操作者は、チケットの正規の所有者であるか否かを判断すべく顔写真を撮影する。具体的には、制御部１１０は、ユーザに撮影部１１７に対して顔を向けるように促すメッセージを表示部１１２に表示する（ステップＳ１０２）。ユーザが承諾する旨を入力すると、制御部１１０は撮影部１１７を制御し撮影を行う（ステップＳ１０３）。
制御部１１０は、ステップＳ１０１で取得したチケットに印刷されている顔写真と、ステップＳ１０３で撮影したユーザの顔写真を比較する（ステップＳ１０４）。
【００４６】
ユーザの顔写真が一致した場合（ステップＳ１０４；ＹＥＳ）、ユーザは、チケットの正規の所有者であることが確認され、次のステップへと処理を進める。
一方、チケットの顔写真がユーザの顔と一致しなかった場合（ステップＳ１０４；ＮＯ）は、ステップＳ１０２に戻り、再度顔写真の撮影を行うよう指示する。なお、ステップＳ１０４を所定の回数繰り返して、顔写真が一致しないと判定されると、転売処理は終了する。
チケットに印刷された顔写真と、撮影された顔写真とが一致すると（ステップＳ１０４；ＹＥＳ）、制御部１１０は次に、図５（Ａ）に示す転売条件設定画面を表示するために逓増逓減価格の算出をチケット転売サーバ２へと依頼する（ステップＳ１０５）。図５（Ａ）に示す転売条件設定画面のうち、「興行名称」、「興行日時」、「座席番号」は、制御部１１０がステップＳ１０１にて取得した情報を表示するが、「逓増逓減方式選択時の開始価格」については、残席数などの情報が必要となる。よって、制御部１１０は通信部１１４を通じてチケット転売サーバ２へと算出を依頼する。このとき、制御部１１０は、算出に必要な興行ＩＤ、そして興行日時などの情報（いずれもステップＳ１０１で取得）もチケット転売サーバ２へと送信する。
【００４７】
依頼を受けたチケット転売サーバ２の制御部２１０は、逓増逓減価格を算出する（ステップＳ１２１）。具体的には、まず、制御部２１０は残席ＤＢ２１１３を参照し、メディア端末１から受信した興行ＩＤ、および興行日時を有するレコードを検索し、該当するレコードの残席数を取得する。そして、制御部２１０は記憶部２１１に記憶される所定のプログラムを実行して、取得した残席数に基づいて逓増逓減価格を算出する。
【００４８】
必要な情報が全て揃うと、制御部１１０は、図５（Ａ）の転売条件設定画面を表示する（ステップＳ１０６）。転売条件設定画面が表示されると、ユーザはこの画面のうち、太枠で囲まれている項目を入力する。まず、ユーザは表示される逓増逓減価格を参考にするなどして、逓増逓減方式を採用するか否かを選択する。逓増逓減方式を採用しない場合、転売希望者が売却価格を設定するため、併せて希望する売却価格を「売価設定」に入力する。この他、「代金の受取方法」、「売却期限」、「期限切れ後の処理」なども入力する。「代金の受取方法」において、「銀行口座振込」、または「郵便口座振込」が選択されている場合、ユーザは制御部１１０によって次に表示される別画面を操作して銀行口座番号、または郵便口座番号を入力する。なお、各操作画面には、ユーザが入力を終了したことを制御部１１０に通知するための操作可能なボタンが設けられているとする。
【００４９】
以上、転売条件の入力が完了すると、制御部１１０は通信部１１４を通じて転売条件をチケット転売サーバ２へと送信する（ステップＳ１０７）。チケット転売サーバ２は転売条件を受信すると、チケット番号をキーとして、興行ＩＤ、興行日時、座席番号、売価、価格逓増逓減方式選択、売却期限、代金の受取方法、期限切れ時の対応指示などの情報を転売チケットＤＢ２１１１に登録する（ステップＳ１２２）。またこの処理と不可分に、送信された興行ＩＤ、および興行日時をキーとして有する残席ＤＢ２１１３のレコードに対して、その残席数を１つ加算する（ステップＳ１２３）。そして、これらの処理が成功すると、その旨をメディア端末１へと送信する（ステップＳ１２４）。
【００５０】
チケット転売サーバ２から、転売条件が登録された旨を受信すると、メディア端末１は読み込んだチケットが以降使用できないように、無効化を行う（ステップＳ１０８）。無効化方法としては、チケットをユーザに返却せずに回収するか、あるいはチケットに「使用不可」などの押印を行い、ユーザへ返却してもよい。
【００５１】
以上で転売条件設定処理が終了する。以降チケット転売サーバは通信ネットワーク１０を通じて、転売チケットに関する情報の公開を行うことが可能となる。転売チケットの購入希望者は、この公開された情報が参照して、購入処理を行う。次に、転売希望チケットの購入処理について説明する。
【００５２】
（購入処理）
ユーザ（購入希望者）は、メディア端末１に出向き、入力部１１３を操作して、転売チケットの購入処理を開始する。
図８は本実施の形態に係る購入処理を示すフロー図である。図８に示すように、購入処理においては、まず、メディア端末１は、ユーザが購入を希望するチケットの、興行名、日時、座席エリア（アリーナなど）などの条件を入力するための、入力画面を表示部１１２に表示する（ステップＳ２００）。購入条件がユーザによって入力されると、メディア端末１の制御部１１０は、これらの条件を満たし、且つ売却期限内の転売希望チケットに関する情報を取得するよう、チケット転売サーバ２に依頼する（ステップＳ２０１）。
【００５３】
チケット転売サーバ２は依頼を受信すると、転売チケットＤＢ２１１１を検索し、購入条件に該当する各チケットのチケット番号、興行ＩＤ、興行日時、座席番号、などを取得する（ステップＳ２２０）。さらに、制御部２１０は各該当チケットの価格も取得する（ステップＳ２２１）。具体的には、制御部２１０は転売チケットＤＢ２１１１を参照して、各該当チケットについて、逓増逓減価格方式を適用することが選択されているかどうかを判定する。選択されている場合は、ステップＳ１２１において説明した手順で逓増逓減価格の算出を行う。逓増逓減価格方式が選択されていない場合は、ユーザの設定した売価を転売チケットＤＢ２１１１から取得する。このようにして各該当チケットに関する情報を取得すると、制御部２１０は併せてメディア端末１に送信する（ステップ２２２）。
【００５４】
メディア端末１が該当チケットに関する情報を受信すると、制御部１１０は、これらを一覧として表示する（ステップＳ２０２）。このとき、各チケットは選択可能に表示されている。ユーザは、表示される売価や座席番号などの情報に基づいて、最も希望に合うチケットを選択する。
【００５５】
購入したいチケットを、一覧の中からユーザが選択すると、メディア端末１は、図５（Ｂ）に示すチケット購入申込み画面を表示する（ステップＳ２０４）。このうち、「興行名称」、「興行日時」、「座席番号」、「価格」については、一覧の中からユーザによって選択されたチケットに対応する情報が自動的に表示される。
【００５６】
ユーザは、チケット購入申込み画面のうち、決済処理に必要な太枠内の「代金の支払方法」を入力する。ここで、ユーザが「クレジットカード決済」および「デビットカード決済」を選択した場合と、「店頭支払」を選択した場合とで、処理が異なる。
【００５７】
まず、「クレジットカード決済」、または「デビットカード決済」が代金の支払方法として選択された場合、制御部１１０はクレジットカード／デビットカードのカードリーダ部１１８への挿入、および暗証番号の入力を指示する画面を表示する（ステップＳ２０５）。ユーザによって、クレジットカード／デビットカードがメディア端末１のカードリーダ部１１８にカードが挿入され、暗証番号が入力部１１３に入力されると、カードリーダ部１１８はカード情報の読み取りを行い（図９（Ａ）、ステップＳ２０７）、カード情報とともに、支払い方法、暗証番号、ユーザによって選択されたチケット番号を、チケット転売サーバ２へと送信する（ステップＳ２０８）。これら情報を受信すると、チケット転売サーバ２は決済処理を行う（ステップＳ２２２）。具体的には、チケット転売サーバ２の制御部２１０は、送信された代金の支払い方法、カード番号および暗証番号に基づいて代金の引き落としを行う。そして、同じく送信されたチケット番号に基づいて、購入希望の転売チケットに関する情報を転売チケットＤＢ２１１１を参照して取得し、指定されている代金の受取方法で転売希望者に代金を支払う。
【００５８】
決済処理が成功すると、制御部２１０は転売チケットＤＢ２１１１を参照し、購入希望チケットのチケット番号を有するレコードを検索する。そして該当レコードの「有効／無効」フィールドを「無効」に設定する（ステップＳ２２３）。また、この削除処理と不可分に、残席ＤＢ２１１３から当該チケットと同じ興行ＩＤ、および興行日時をキーとして有するレコードを取得する。そして、取得したレコードの残席数を１つ減算する（ステップＳ２２４）。
【００５９】
一方、代金の支払方法として、「店頭支払」がユーザによって選択された場合、制御部１１０は支払票を印刷するように印刷部１１５を制御する（ステップＳ２０６）。支払票にはチケット番号や金額などの情報が記載される。
【００６０】
店頭支払を支払いの場合、「クレジット／デビットカード決済」を選択した場合のステップＳ２０７〜２０８、Ｓ２２２〜Ｓ２２５に対応する処理は、図９（Ｂ）の店頭支払処理にて行われる。
まず、ユーザは支払票を店頭に持参し、指定された金額を支払う。店員は通信ネットワーク１０に接続されているＰＯＳレジなどの端末（図示せず）を操作して、支払票に記載されたチケット番号を入力する。チケット番号が入力されるとＰＯＳ端末は、チケット転売サーバ２に、チケット番号と、支払が行われた旨を送信する（ステップＳ３００）。なお、支払票のチケット番号は直接入力するのではなく、ＰＯＳレジ端末と接続されるスキャナなどの読み取り装置によって支払票を読み込んでもよい。
【００６１】
支払が行われた旨がチケット転売サーバ２に送信されると、チケット転売サーバ２は、前述のステップＳ２２２と同様の手順で、チケット転売希望者に、代金を支払う決済処理を行う（ステップＳ２３０）。決済が成功すると、制御部２１０は、ステップＳ２２３、ステップ２２４と同様の手順で、転売チケットＤＢ２１１１を参照し、該当チケットに対応するレコードの「有効／無効」フィールドを「無効」に設定する（ステップＳ２３１）。また、残席ＤＢ２１１３を参照し、当該チケットと同じ興行ＩＤ、および興行日時をキーとして有するレコードの残席数を１つ減算する（ステップＳ２３２）。以上の処理が終了すると、チケット転売サーバ２は発券のために必要な暗証番号を発行する（ステップＳ２３３）。発行された暗証番号は転売チケットＤＢ２１１１の当該チケットに対応するレコードに登録される（ステップＳ２３４）ほか、ＰＯＳ端末に送信される（ステップＳ２３５）。ＰＯＳ端末はチケット番号と暗証番号を紙に印刷し（ステップＳ３０１）、店員は印刷された紙をユーザに渡す。
【００６２】
以上の処理により、チケット購入の際の支払方法として「クレジット／デビットカード決済」、「店頭支払」のいずいれが選択された場合においても、決済処理が終了する。続いて、発券処理について説明する。
【００６３】
（発券処理）
チケット購入の際の支払方法として、「店頭支払」が選択された場合、ユーザは、再びメディア端末１に出向き、入力部１１３を操作して、メニュー画面から発券処理を開始する。メディア端末１が表示する暗証番号入力画面に、ユーザがチケット番号と発券用の暗証番号を入力すると、制御部１１０は、暗証番号の照合を行う。すなわち、制御部１１０は転売チケットＤＢ２１１１を参照し、該チケットを有するレコードの「発券用暗証番号」フィールドに登録されている番号と入力された暗証番号が一致するか否かを判定する。一致すれば、図１０に示す発券処理を開始する。一致しなければ、処理を終了する。
【００６４】
一方、チケット購入の際の支払方法として「クレジット／デビットカード決済」が選択された場合、ステップＳ２２５に続いて、発券処理が行われる。
【００６５】
まず、メディア端末１は、ユーザがステップＳ２０２で表示された画面を操作して選択した転売チケットのチケット番号とともに、該チケットに関連する興行情報の取得依頼を転売チケットサーバ２へと送信する（ステップＳ４００）。依頼を受信すると、転売チケットサーバ２の制御部２１０は、興行情報の取得を行う（ステップＳ４１０）。具体的には、まず受信したチケット番号を有するレコードを転売チケットＤＢ２１１１を参照して検索する。次いで、該当レコードに登録される興行ＩＤを取得すると、制御部２１０は興行情報ＤＢ２１１２を参照してその興行ＩＤに関連づけて記憶される興行情報、および各興行情報の情報量を取得する。そして、メディア端末１へと送信する。
【００６６】
次に、購入者の希望に応じてチケットの裏面やコピー用紙に興行関連の詳細情報を印刷するために、制御部１１０は図６に示す、興行関連情報入手画面を表示部１１２に表示する（ステップＳ４０１）。ユーザはまず入手方法を、「チケット裏面」、「メディア端末からプリント」、「携帯メール」、「ＰＣメール」、「不要」などから選択し、続いて、印刷希望情報を「情報」項目の中から選択する。
ここで、ユーザが「チケット裏面」を情報入手方法として選択した場合、印刷スペースが限られる。よって、制御部１１０は、興行関連情報入手画面にステップＳ４１０で送信された各項目の情報量を表示する。購入者は、この情報量を参考にしながら「情報」項目の中から印刷希望情報を選択することが可能となる。
なお、メディア端末１は、チケットに印刷可能なスペースに関する情報を記憶部１１１に記憶しており、情報量が印刷可能な範囲を超えると、制御部１１０は情報量オーバーのメッセージを表示し、印刷希望情報の再選択を購入者に促す。
【００６７】
ユーザによって印刷希望項目が入力されると制御部１１０は、次にステップＳ１０２およびＳ１０３と同様の手順を踏んで撮影部１１７を制御して購入者の顔写真を撮影する（ステップＳ４０２、Ｓ４０３）。
【００６８】
以上、チケットの発券に必要な情報がすべて揃うと、制御部１１０は、興行名称、アーティスト名、開催会場名、興行日時、座席番号などの興行情報とともに、顔写真をチケットの表面に印刷する。また、興行関連情報入手画面にてユーザが選択した興行情報を、ステップＳ４０１で送信された興行情報の中から、チケットの裏面、あるいは別紙に印刷する（ステップＳ４０４）。以上で発券処理が終了する。発券されたチケットの例を図１２に示す。
【００６９】
なお、チケット転売サーバ２は、所定時間（例えば１時間）毎に転売チケットＤＢ２１１１を参照し、有効なレコードのうち、売却期限が過ぎたものを検索する。該当レコードは、転売希望者の希望売却期限までに売却できなかったものであるため、該当レコードに記憶される「期限切れ時の対応指示」にしたがって、「再発券」や、「権利放棄」、などの処理を行う。そして、該当レコードの「有効／無効」フィールドを「無効」に設定する。
【００７０】
以上説明したように、本実施の形態においては、顔写真入りのチケットをチケット売り場まで出向くことなく、最寄りのコンビニエンスストアなどで売却でき、転売が容易となる。また、通常のオークションでは、物品のやり取りに時間を要するが、本実施の形態によると、メディア端末を利用すれば、即時の発券が可能となる。さらに、逓増逓減方式の価格設定を選択すれば、人気の高いチケットの価格は自動的に上がり、また人気の低いチケットの価格は自動的に下がるため、チケットが売れ残る可能性を低くすることも可能である。
【００７１】
以上、本発明の実施の形態を説明したが、本発明を実施するにあたっては、種々の形態による変形及び応用が可能であり、上記実施の形態に限られるものではない。
【００７２】
例えば、本実施の形態においては、転売システムは顔写真が記録されたチケットを転売対象として取り扱ったが、顔写真は目視できる形式でなく、電子的な形式で画像データとして記録されていてもよい。すなわち、ＩＣチップなどの記憶装置を埋設し、記憶装置に画像データを記憶するチケットを取り扱ってもよい。この場合、チケット転売システムに、記憶装置に対応する読み取り装置を備えさせればよい。
また、顔写真ではなく、身体的特徴量を記録したチケットを取り扱うようにしてもよい。例えば、顔、指紋、虹彩、静脈、などに関する特徴量を記録するチケットを取り扱うようにしてもよい。この場合、メディア端末１にはユーザの顔、指紋、虹彩、静脈、などの身体的特徴を抽出する装置を備えさせる。そしてメディア端末１は、チケットに記録された身体的特徴量と抽出した情報とを照合して、一致した場合にチケットを売却する手続きを行えばよい。発券の際には、抽出装置によって抽出したユーザのこれら身体的特徴をチケットに記録すればよい。
【００７３】
また、本実施の形態においては、転売システムは興行チケットを取り扱うようにしたが、船、列車、飛行機などの搭乗券やその他イベントのチケットを取り扱ってもよい。
【００７４】
また、本実施の形態においては、チケット購入希望者はメディア端末１を用いて購入処理を行ったが、通信ネットワーク１０を介して接続されたパソコンや携帯端末を利用して行うようにしてもよい。
この場合、チケット転売サーバ２はインストールされている、例えばウェブアプリケーションプログラムなどによって購入手続に必要な機能を提供してもよい。そして、チケット購入希望者はウェブブラウザ機能を有するパソコンや携帯端末からＵＲＬを指定して、チケット転売サーバ２の提供するチケット購入のためのウェブアプリケーションプログラムにアクセスすればよい。
チケットに印刷される顔写真については、購入手続の際にユーザが顔写真ファイルをチケット転売サーバ２へアップロードすればよい。
また、購入手続の際には、ユーザに住所を入力させる。発行された顔写真入りのチケットは、この入力された住所へと郵送すればよい。
図１１は購入手続の際に携帯端末やパソコンに表示されるチケット購入申込み画面の例を示す。ユーザは太枠で囲まれている「代金の支払方法」や「チケット送付先住所」などを入力する。
【００７５】
また、上記実施の形態においては、ユーザに関する個人情報（口座番号、クレジットカード番号、など）をその都度メディア端末１からユーザが入力したが、事前に個人情報を、ユーザを識別する識別情報をキーとして、データベースに登録するようにしてもよい。そして、個人情報が登録されている場合、チケット転売サーバ２はその登録された情報を取得して、売却処理や購入処理の際に利用するようにしてもよい。
このように個人情報を事前に登録しておけば、ユーザは転売や購入処理の度に個人情報を入力する手間が省ける。また、顔写真を個人情報として登録しておけば、チケット購入の際に、顔写真撮影を行わなくてもよいという利点も得られる。
【００７６】
さらに、上記実施の形態においては、チケット転売サーバ２が各種ＤＢを格納しているものとして説明したが、例えば、通信ネットワーク１０上に各種ＤＢを格納するＤＢサーバを設置し、チケット転売サーバ２が必要に応じてＤＢサーバにアクセスして情報を読み取るようにしてもよい。
【００７７】
上記実施の形態では、メディア端末１や、チケット転売サーバ２の制御プログラムが記憶部等に予め記憶されているものとして説明した。しかし、メディア端末１や、チケット転売サーバ２に、フレキシブルディスク、ＣＤ−ＲＯＭ（Compact Disk Read-Only Memory）、ＤＶＤ（Digital Versatile Disk）、ＭＯ（Magneto-Optical disk）、ＵＳＢメモリ等の記憶媒体を読み取る装置のいずれか適したものを備え、これら記憶媒体に制御プログラムを格納して配布してもよい。そして、そのプログラムをインストールすることにより、上述の処理動作を実行をする装置を構成してもよい。
【００７８】
また、制御プログラムを、通信ネットワーク上の所定のサーバ装置が有するディスク装置等に格納しておき、メディア端末１や、チケット転売サーバ２にダウンロード等するようにしてもよい。さらに、通信ネットワークを介してプログラムを転送しながら起動実行することによっても、上述の処理を達成することができる。
【００７９】
なお、上記実施の形態に係るメディア端末１や、チケット転売サーバ２は、制御部がプログラムによって制御する構成にするのではなく、専用のハードウェアによっても実現することができる。
【図面の簡単な説明】
【００８０】
【図１】本発明の実施の形態に係るチケット転売システムの構成例を示すブロック図である。
【図２】メディア端末の構成例を示すブロック図である。
【図３】チケット転売サーバの構成例を示すブロック図である。
【図４】（Ａ）は転売チケットＤＢのデータ構成例、（Ｂ）は興行情報ＤＢのデータ構成例、（Ｃ）は残席ＤＢのデータ構成例を示す図である。
【図５】（Ａ）は転売条件設定画面の例、そして（Ｂ）はチケット購入申込み画面の例を示す図である。
【図６】興業関連情報入手画面の例を示す図である。
【図７】転売チケットの転売条件設定処理の例を示すフロー図である。
【図８】転売チケットの購入処理の例を示すフロー図である。
【図９】（Ａ）は転売チケットの購入処理の例を示し、（Ｂ）は店頭支払処理の例を示すフロー図である。
【図１０】転売チケットの発券処理の例を示すフロー図である。
【図１１】パソコンや携帯端末から購入を行う際に表示されるチケット購入申込み画面の例を示す図である。
【図１２】（Ａ）はチケットの表面の例を示す図であり、（Ｂ）はチケットの裏面の例を示す図である。
【符号の説明】
【００８１】
１  メディア端末
２  チケット転売サーバ
１０  通信ネットワーク
１１０  制御部
１１１  記憶部
１１２  表示部
１１３  入力部
１１４  通信部
１１５  印刷部
１１６  スキャナ部
１１７  撮影部
１１８  カードリーダ部
１３０  バス
２１０  制御部
２１１  記憶部
２１２  表示部
２１３  入力部
２１４  通信部
２１１１  転売チケットＤＢ
２１１２  興行情報ＤＢ
２１１３  残席ＤＢ
２３０  バス
【図１】
2008197717.tif 000003
【図２】
2008197717.tif 000004
【図３】
2008197717.tif 000005
【図４】
2008197717.tif 000006
【図５】
2008197717.tif 000007
【図６】
2008197717.tif 000008
【図７】
2008197717.tif 000009
【図８】
2008197717.tif 000010
【図９】
2008197717.tif 000011
【図１０】
2008197717.tif 000012
【図１１】
2008197717.tif 000013
【図１２】
2008197717.tif 000014